(57)【要約】【課題】防水床材の上に嵩上げ材を配置して成る防水床に、簡単に排水構造を構築できる手段を提供する。【解決手段】防水床材１０の排水口１３を臨む位置に嵩上げ材２０及び床仕上げ材３０を省略した切欠領域Ｒを形成し、ここに排水路形成用筒状部材５０を嵌装する。排水路形成用筒状部材５０は、上端に目皿受け部が設けられ、内部の中間高さ位置にヘアーキャッチャー５１の支持段部が設けられる。切欠領域Ｒに排水路形成用筒状部材５０を嵌装するだけで排水路を確保できるから、作業が簡単であり部材点数も少ない。ヘヤーキャッチャー５１の支持位置を中間高さ位置に設定したから、装着・取り外し作業が容易である。上端開口部５０ａと排水口１３がほぼ同軸上に配置されるので排水効率が良い。目皿５２が床仕上げ材３０とほぼ面一になるから、突出部のない美麗な床面を施工できる。【選択図】      図３
2005240350.tif 000002
【特許請求の範囲】
【請求項１】
防水床材の上に、嵩上げ床材を配置し、その上に床仕上げ材を設けて成る防水床に、排水路を形成するための構造であって、前記防水床材に形成した排水口部を臨むように、前記嵩上げ床材及び床仕上げ材に切欠領域を形成し、上記切欠領域に排水路形成用の筒状部材が嵌装され、該筒状部材は、下端開口部が前記防水床材の排水口部に接合され、上端開口部に目皿受け部が形成され、当該目皿受け部に装着した目皿の表面が、前記床仕上げ材の表面と実質的に面一となるように設定されていることを特徴とする防水床の排水構造。
【請求項２】
前記防水床材の排水口部に下面側からトラップ部材が取り付けられ、前記筒状部材と、前記トラップ部材とが、前記防水床材を挟んで上下にほぼ同軸上に配置されている請求項１に記載する防水床の排水構造。
【請求項３】
前記筒状部材の内部途中に、ヘアーキャッチャーが着脱可能に設けられ、該ヘアーキャッチャーは、前記筒状部材の上端開口部から装着取出しが可能になされている請求項１又は２に記載する防水床の排水構造。
【請求項４】
前記筒状部材の上端開口部が四角形に形成され、当該上端開口部の一辺が、防水床の周囲に形成された壁面又は起立面と実質的に平行となるように前記筒状部材を配置した請求項１乃至３のいずれかに記載する防水床の排水構造。
【請求項５】
前記筒状部材の上端開口部が四角形に形成され、当該上端開口部における直角に隣接する二辺を、防水床の周囲に形成された直角に隣接する壁面又は起立面と実質的に平行関係となるように前記筒状部材を配置した請求項１乃至３のいずれかに記載する防水床の排水構造。
【請求項６】
前記床仕上げ材がタイル等の四角形部材で形成され、前記筒状部材における四角形に形成された上端開口部の寸法が、前記タイル等の割付モジュール寸法に基づいて設定されている請求項１乃至５のいずれかに記載する防水床の排水構造。
【請求項７】
前記筒状部材の一部又は全部を蛇腹等で伸縮可能及び又は変形可能に形成した請求項１乃至６のいずれかに記載する防水床の排水構造。
【発明の詳細な説明】
【技術分野】
【０００１】
本発明は、浴室やシャワー室など湯水を使用する部屋の床における排水構造に関する。
【背景技術】
【０００２】
特許文献１に、防水性の底板の上に、発泡プラスチック板を載せ、その上面を樹脂板やタイル板から成る保護層で覆った構造の、浴室用床構造が記載されている。かかる床構造は、低比重の発泡プラスチック板を使用するから、軽量化が可能であり、運搬や施工時の取り扱いが容易になるという利点を有している。
【特許文献１】特開平１１−３４３６５０号公報
【発明の開示】
【発明が解決しようとする課題】
【０００３】
特許文献１に記載される如き、タイル等の表面保護層と底板との間に発泡プラスチック板を配置した床構造では、表面から底板までの厚みが大きいため、床の表面を流れる水を底板の排水口まで導く手段が必要とされるが、従来、施工が簡単で、しかも施工後の仕上がり状態を美麗に出来る適当な排水構造は提供されていなかった。
【課題を解決するための手段】
【０００４】
本発明は、前記従来の問題に鑑み、防水床材の上に、嵩上げ床材を配置し、その上に床仕上げ材を設けて成る防水床に、排水路を形成するための構造を提供するものであって、その特徴とするところは、前記防水床材に形成した排水口部を臨むように、前記嵩上げ床材及び床仕上げ材に切欠領域を形成し、上記切欠領域に排水路形成用の筒状部材が嵌装され、該筒状部材は、下端開口部が前記防水床材の排水口部に接合され、上端開口部に目皿受け部が形成され、当該目皿受け部に装着した目皿の表面が、前記床仕上げ材の表面と実質的に面一となるように設定されていることである。
【０００５】
前記において防水床材とは、通常ＦＲＰ製の防水パンが代表的であるが、プラスチックや金属等で製作したものも使用可能である。嵩上げ材は、例えば、比重が比較的小さく断熱性に優れた発泡板に、曲げ強度が比較的大きい補強板を接合して補強したものなどが用いられる。嵩上げ材の表面に設けられる床仕上げ材としては、タイルのほか、石材や、樹脂シート、セラミック板等が考えられる。
【０００６】
前記排水構造において、防水床材の排水口部に下面側からトラップ部材を取り付け、前記筒状部材と、前記トラップ部材とを、前記防水床材を挟んで上下にほぼ同軸上に配置する構成を採用してもよい。
【０００７】
さらに、前記筒状部材の内部途中にヘアーキャッチャーを着脱可能に設け、該ヘアーキャッチャーを、前記筒状部材の上端開口部から装着取出しが可能に構成することが望ましい。
【０００８】
ところで前記筒状部材の上端開口部が四角形に形成されている場合、当該上端開口部の一辺が防水床の周囲に形成された壁面又は起立面と実質的に平行となるように、前記筒状部材を配置するとよい。
【０００９】
あるいは、前記筒状部材の上端開口部が四角形に形成されている場合、当該上端開口部における直角に隣接する二辺を、防水床の周囲に形成された直角に隣接する壁面又は起立面と実質的に平行関係となるように、前記筒状部材を配置することも可能である。
【００１０】
なお前記床仕上げ材がタイル等の四角形部材で形成されている場合は、前記筒状部材における四角形に形成された上端開口部の寸法を、前記タイル等の割付モジュール寸法に基づいて設定することが望ましい。
【００１１】
さらに、前記筒状部材の一部又は全部を蛇腹等で伸縮可能及び又は変形可能に形成することも考えられる。
【発明の効果】
【００１２】
本発明の請求項１に係る排水構造によれば、防水床に形成した切欠領域に筒状部材を嵌装するだけで、排水路を簡単に設けることができる。また、筒状部材の上端開口部に目皿受け部を形成したので、目皿受け具を別途用意する必要が無くなり、部材点数が少なくなると共に、施工が簡単になる。
【００１３】
請求項２に係る排水構造によれば、筒状部材内部の排水通路と、トラップ部材の排水通路とが、防水床材の排水口部を介して、ほぼ同軸に連通することになるから、水の流通抵抗が少なくなり、排水効率が高くなる。
【００１４】
請求項３に係る排水構造によれば、ヘアーキャッチャーの取り付け位置が筒状部材内部の途中高さ位置となるから、底部の防水床材まで手を差し込まずに、ヘアーキャッチャーの装着・取り外しが可能である。この効果は、防水床材の上に載置される嵩上げ床材の厚みが大きいときほど有利になる。
【００１５】
請求項４又は５に係る排水構造によれば、排水路形成用の筒状部材の位置決めを、壁面を構成する壁仕上げ材の表面や、浴槽のエプロン部等の起立面を基準にして行えるから、施工作業が平易になる。また、施工後の仕上がりを美麗にできる。
【００１６】
請求項６に係る排水構造によれば、筒状部材の上端開口部が、タイルの割付モジュール寸法と調和するように設定されるから、均整感のある美麗な床面を容易に施工できる。
【００１７】
請求項７に係る排水構造によれば、筒状部材を伸縮可能及び／又は変形可能とすることにより、上端開口部から下端開口部までの距離を変更したり、上端開口部と下端開口部の位置関係を変更することが可能となる。従って、防水床を構成する嵩上げ床材や仕上げ床材の厚み変更や寸法誤差に対応できる。また、嵩上げ床材及び仕上げ床材の形成する切欠領域の形状が変更された場合にも対処可能となる。
【発明を実施するための最良の形態】
【００１８】
図１は、本発明に係る排水構造が適用される浴室Ｙの床構造Ｋを例示する正面断面図であり、図２は、同床構造の構築に利用される防水床材１０を示す平面図である。同床構造Ｋは、浴室Ｙの基礎１上に配置した防水床材１０と、この防水床材１０上に載置される嵩上げ材２０と、この嵩上げ材２０の表面に接着剤３１等により張り付けられたタイル等の床仕上げ材３０とから構成されている。
【００１９】
防水床材１０は、ＦＲＰ、プラスチック、金属等で製作され、主体となる平坦部１０ａの周囲に立ち上がり部１０ｂを一体形成したものである。図２に示す如く、平坦部１０ａの適所には、嵩上げ材２０の下面を支える支持突起１１、浴槽が据え置かれる浴槽設置部１２、及び、排水口１３が設けられる。そして平坦部１０ａは、排水口１３へ向かう排水勾配を有する傾斜面となされている。防水床材１０の下面には、補強材１４と高さ調節具４０とが設けられる。高さ調節具４０は、防水床材１０の荷重を支持すると共に、防水床材１０の基礎１からの距離を増減させて高さ調節を行うためのものである。
【００２０】
本例の防水床材１０は、全体が中心線Ｐを挟んでほぼ対称に形成され、二つの対称領域のうちいずれか任意の一方を浴槽設置用、もう一方を洗い場構築用に使用できるようなされている。このため、支持突起１１，浴槽設置部１２，排水口１３も、上記二つの対称領域の双方に設けられている。そして、支持突起１１の高さ寸法は、浴槽設置部１２よりも上方に突出するように設定されている。
【００２１】
嵩上げ材２０は、例えば、比較的曲げ強度の大きい補強板２１と、比重が比較的小さく断熱性に優れた発泡板２２とを接合したものが用いられる。補強板２１としては、セメントやモルタル等からなる芯材の表面層に、ガラス繊維ネットや合成樹脂メッシュシートを埋設して強化した板状材が挙げられる。発泡板２２は、ポリスチレン等から成る発泡プラスチック層の表面に、ガラス繊維ネットで補強したポリマーセメント層を形成してなるものが挙げられる。なお、この嵩上げ材２０は、断熱性や軽量性を特に考慮する必要のない場合、非発泡性の材質であってもよい。
【００２２】
嵩上げ材２０の表面に設けられる床仕上げ材３０は、タイルが代表的であるが、石材、樹脂シート、セラミック板等の使用も考えられる。床仕上げ材３０は、美観性、摩擦、強度その他の表面特性を向上させる目的で配置されるものであるが、施工状況によって省略される場合もある。
【００２３】
前記防水床構造Ｋは次のようにして施工される。まず、浴室Ｙの基礎１に防水床材１０を設置する。このとき高さ調節具４０を操作して、防水床材１０の平坦部１０ａに、排水口１３へ向かう所定の排水勾配が付与されると同時に、浴槽設置部１２にあってはその表面が実質的に水平となるよう調節する。次いで、嵩上げ材２０を、支持突起１１を介し、防水床材１０の上に載置し固定する。支持突起１１は浴槽設置部１２より上方に位置するので、嵩上げ材２０と浴槽設置部１２とが干渉するおそれがない。支持突起１１により、防水床材１０の上面と嵩上げ材２０の下面との間に排水用空間Ｓが形成される。最後に、嵩上げ材２０の表面に、接着剤３１等を用いてタイル等の床仕上げ材３０を張り付ける。
【００２４】
また防水床材１０を所定位置に据え置いた後、その立ち上がり部１０ｂと、躯体壁２やドア４との隙間を防水材５で覆い、この防水材５が、躯体壁２の表面に取着される壁仕上げ材３の裏面側、及び、ドア４の取付枠部材４ａの下側となるように設定する。これにより、壁仕上げ材３の裏側やドア４の下側に浸入したり結露によって生成した水を、防水材５を伝って防水床材１０上へ確実に導くことができるから、基礎１や躯体壁２が濡れたり湿気たりするのを防止できる。
【００２５】
前述のようにして構築した防水床構造Ｋは、表面の床仕上げ材３０と防水床材１０との間に嵩上げ材２０を有しているため、床仕上げ材３０から防水床材１０の排水口１３までの距離が長い。そこで本例では、図３に示すように、排水口１３を臨む位置において、嵩上げ材２０及び床仕上げ材３０を省略した切欠領域Ｒを形成し、ここに床仕上げ材３０の表面から防水床材１０まで達する長さを備える排水路形成用筒状部材５０を嵌装して、排水口１３までの排水路を確保する排水構造を採用した。なお排水口１３には、起立導水管６ａと、その上部を流通間隙を空けて覆うキャップ部材６ｂとからなる排水トラップ装置６を取り付け、封水が形成されるようにすることが望ましい。
【００２６】
本例の排水路形成用筒状部材５０は、図４に示すように、上端開口部５０ａの開口面積を、下端開口部５０ｄの開口面積よりも大きく設定した角筒状の形態を有するものであって、上端開口部５０ａに、多数の開孔を有する目皿５２を配置するための目皿受け部５０ｂが設けられ、内部の中間高さ位置にヘアーキャッチャー５１を装着するための支持段部５０ｃを設けたものである。
【００２７】
また、前記の如く、防水床材１０と嵩上げ材２０との間に排水空間Ｓを設けた場合、排水路形成用筒状部材５０における下端付近の側壁部に、排水用空間Ｓと連通させる排水通孔Ｔを形成する（図３参照）。
【００２８】
このように本発明に係る排水構造は、嵩上げ材２０及び床仕上げ材３０に切欠領域Ｒを形成し、ここに排水路形成用筒状部材５０を嵌装するだけで、床表面から排水口１３までの排水路を確保できるから、作業が簡単である。また、排水路形成用筒状部材５０に、ヘヤーキャッチャー５１や目皿５２の装着部を設けたので、これらの支持具を別途用意する必要がなくなり、部材点数を減らすことができる。しかも、ヘヤーキャッチャー５１の支持位置を当該筒状部材５０の中間高さ位置に設定したから、排水口１３近くの低い位置まで手を差し入れることなく、ヘヤーキャッチャー５１の装着・取り外し作業を容易に行うことができる。また本例の筒状部材５０は、上端開口部５０ａと、下端開口部５０ｄに連接される排水口１３とが、ほぼ同軸上に配置されるので、水の流通抵抗が少なく、排水効率が良好である。さらに、目皿５２が床仕上げ材３０とほぼ面一になるように設定されているから、突出部のない美麗な床面を施工できる。
【００２９】
ところで、本発明に係る排水路形成用筒状部材５０を取り付けるにあたり、その位置決めを周囲の壁面や起立面を基準にして行うことができる。すなわち、図５に示すように、筒状部材５０に形成された四角形の上端開口部５０ａにおける一辺又は隣接する二辺が、壁仕上げ材３によって構築される壁面Ｗや、浴槽４０の側面に取着したエプロン４１の起立面４１ａと実質的に平行となるように調整する。これにより、筒状部材５０を、視覚的に美麗な配置とすることが容易に出来る。
【００３０】
さらに図５に例示する如く、床の表面にタイル３０を張り付ける場合、本発明に係る排水路形成用筒状部材５０の上端開口部５０ａの形状及び寸法を、タイル３０の割付モジュールと調和するように設定（通常はタイル割付寸法の整数倍を採用）すれば、均整感のある床面を構築することができる。
【００３１】
なお本例の排水路形成用筒状部材５０の取付位置は、特に制限されるものではないが、図５に符号Ａ〜Ｄで示す床面の隅部位置とするのが、施工後の美観性や取付作業の容易性などから推奨される。
【００３２】
ところで、本実施形態の如く、一つの防水床材１０に浴槽用と洗い場用の二つの排水口１３，１３が設けられている場合（図２参照）、各排水口１３，１３それぞれに封水形成用の排水トラップ装置を取り付けてもよいが、図６に示すような親子トラップ構造を採用することも可能である。これは、浴槽設置側の排水口１３に導出管６１を備える排水受け皿６０を装着し、洗い場側の排水口１３には排水トラップ装置６を取り付ける。そして、上記導出管６１と排水トラップ装置６に設けた導入管６３とを、ベローズ状の連通管６２で接続する。かかる構成により、各種作業の行いにくい浴槽下面側の排水口１３では、排水トラップ装置６を省略できるから、メンテナンスの負担を軽減することができる。また排水トラップ装置６の使用個数を節約できるから、コストダウンを図れる。
【００３３】
なお図示は省略したが、前記排水路形成用筒状部材５０において、その一部又は全部を蛇腹などの伸縮及び／又は変形が可能な部材で製作することも考えられる。かかる構成によれば、筒状部材５０の上端開口部５０ａから下端開口部５０ｄまでの距離を増減させたり、両者の位置関係を変更することが可能である。従って、防水床Ｋを構成する嵩上げ材２０や床仕上げ材３０の厚みの変更や寸法誤差に容易に対応できる。また嵩上げ材２０及び床仕上げ材３０に形成する切欠領域Ｒの形状変更にも対処可能となる。
【図面の簡単な説明】
【００３４】
【図１】本発明に係る排水構造が適用される浴室の一例を示す側面断面図である。
【図２】本発明に係る排水構造が適用される浴室を構築するのに使用される防水床材の一例を示す平面図である。
【図３】本発明に係る排水構造の一実施形態を示す側面断面図である。
【図４】本発明に係る排水構造の構築に用いる排水路形成用筒状部材、ヘヤーキャッチャー、及び、目皿を例示する斜視図である。
【図５】本発明に係る排水構造を適用した浴室の平面図である。
【図６】本発明に係る排水構造の異なる例を示す側面断面図である。
【符号の説明】
【００３５】
１…基礎  ２…躯体壁  ３…壁仕上げ材  ５…防水材  ６…排水トラップ装置  １０…防水床材  １１…支持突起  １２…浴槽設置部  １３…排水口  ２０…嵩上げ材  ３０…床仕上げ材（タイル）  ４０…高さ調節具  ５０…排水路形成用筒状部材  ５１…ヘヤーキャッチャー  ５２…目皿  Ｒ…切欠領域  Ｓ…排水用空間  Ｙ…浴室
【図１】
2005240350.tif 000003
【図２】
2005240350.tif 000004
【図３】
2005240350.tif 000005
【図４】
2005240350.tif 000006
【図５】
2005240350.tif 000007
【図６】
2005240350.tif 000008